(57)【要約】【課題】  開閉部が閉じていても開いていても何らかの入力操作をユーザから受けることができる情報処理装置の操作性を向上する。【解決手段】  スライド式携帯電話機１０１は、収縮状態の場合にユーザから入力操作を受ける第１操作部１１０と、伸張状態の場合にユーザから入力操作を受ける第２操作部１２０と、操作部１１０、１２０がユーザから受けた入力操作に応答した処理を実行する制御部１４０とを備える。制御部１４０は、収縮状態でユーザから第１操作部１１０を介して受けた第１入力操作に応答した処理を実行した後に、伸張状態になったことが検出されたならば、その第１入力操作の次の入力操作をユーザから第２操作部１２０を介して受ける前に、その次の入力操作となり得る第２入力操作に応答した処理を実行する。【選択図】図５
2005311668.tif 000002
【特許請求の範囲】
【請求項１】
ユーザから開け閉めされる開閉部と、
前記開閉部が閉じた状態の場合にユーザから入力操作を受ける第１ユーザ操作部と、
前記開閉部が開いた状態の場合にユーザから入力操作を受ける第２ユーザ操作部と、
前記第１ユーザ操作部及び前記第２ユーザ操作部がユーザから受けた入力操作に応答した処理を実行する制御部と
を備え、
前記制御部は、前期開閉部が閉じた状態でユーザから前記第１ユーザ操作部を介して受けた第１入力操作に応答した処理を実行した後に、前記開閉部が開いたことが検出されたならば、前記第１入力操作の次の入力操作をユーザから前記第２ユーザ操作部を介して受ける前に、前記次の入力操作となり得る第２入力操作に応答した処理を実行する、
情報処理装置。
【請求項２】
複数種類の第１入力操作の各々に対応付けられた各種第２入力操作を記憶する入力操作関係記憶領域を更に備え、
前記制御部は、前記第１入力操作に応答した処理を実行した後に、前記開閉部が開いたことが検出されたならば、前記第１入力操作の種類に対応した種類の第２入力操作を前記記憶資源から識別し、前記識別された種類の第２入力操作に応答した処理を実行する、
請求項１記載の情報処理装置。
【請求項３】
１又は複数の電話番号を記憶する電話番号記憶領域を更に備え、
前記制御部は、前記第１入力操作に応答して、前記電話番号記憶領域に記憶されている１又は複数の電話番号の中から１つの電話番号を選択した後に、前記開閉部が開いたことが検出されたならば、前記選択された電話番号を用いて呼びを発する、
請求項１記載の情報処理装置。
【請求項４】
前記制御部は、前記第１入力操作に応答して、１又は複数の受信メールの中から１つの受信メールを選択した後、或いは、複数の電子メール関連メニューの中からメール作成を選択した後、前記開閉部が開いたことが検出されたならば、情報入力待受け状態のメール作成画面を表示する、
請求項１記載の情報処理装置。
【発明の詳細な説明】
【技術分野】
【０００１】
本発明は、開閉部を有する情報処理装置に関する。
【背景技術】
【０００２】
従来、開閉部を有する情報処理装置として様々な種類の情報処理装置が知られている。例えば、ノート型のパーソナルコンピュータや、携帯電話機である。携帯電話機の開閉方式としては、例えば、折り畳み式やスライド式が知られている。スライド式の携帯電話機は、例えば、特許文献１（特開２００３−２０４３８３号）に開示されている。そのスライド式の携帯電話機は、主筐体と、主筐体に対して長軸方向にスライド自在に係合された可動筐体とを備え、可動筐体を開閉部としてスライドすることで、開閉が行われる。
【０００３】
【特許文献１】特開２００３−２０４３８３号。
【発明の開示】
【発明が解決しようとする課題】
【０００４】
ところで、開閉可能な携帯電話機には、開閉部が閉じていても開いていても何らかの入力操作をユーザから受けることができるものがある。このような携帯電話機の使い勝手を良くすることが望ましい。これは、携帯電話機に限らず他種の情報処理装置についても同様である。
【０００５】
従って、本発明の目的は、開閉部が閉じていても開いていても何らかの入力操作をユーザから受けることができる情報処理装置の操作性を向上することにある。
【０００６】
本発明の更なる目的は、後の記載から明らかになるであろう。
【課題を解決するための手段】
【０００７】
本発明に従う情報処理装置は、ユーザから開け閉めされる開閉部と、前記開閉部が閉じた状態の場合にユーザから入力操作を受ける第１ユーザ操作部と、前記開閉部が開いた状態の場合にユーザから入力操作を受ける第２ユーザ操作部と、前記第１ユーザ操作部及び前記第２ユーザ操作部がユーザから受けた入力操作に応答した処理を実行する制御部とを備える。前記制御部は、前期開閉部が閉じた状態でユーザから前記第１ユーザ操作部を介して受けた第１入力操作に応答した処理を実行した後に、前記開閉部が開いたことが検出されたならば、前記第１入力操作の次の入力操作をユーザから前記第２ユーザ操作部を介して受ける前に、前記次の入力操作となり得る第２入力操作に応答した処理を実行する。
【０００８】
前記情報処理装置としては、例えば、ノート型のパーソナルコンピュータ、携帯電話機、ＰＨＳ（Personal Handy phone System）、ＰＤＡ（Personal Digital Assistants）、或いは家電製品など、種々の装置を採用することができる。
【０００９】
また、前記開閉部は、どのようなタイプのものであっても良い。例えば、前記開閉部は、第１部材（例えば筐体）の全体又は一部に対して開閉可能に取り付けられた第２部材（例えば筐体或いはプレート状の部材）であっても良い。
【００１０】
また、前記第２ユーザ操作部は、前記開閉部が閉じた状態の場合には所定の部材（例えば上側に存在する筐体の背後）に隠れ、前記開閉部が開いた状態になる場合に表れても良い。
【００１１】
また、情報処理装置は、前記開閉部の開閉を検出する開閉センサを備えていても良い。その場合、制御部は、前記開閉センサから入力された信号に基づいて、前記開閉部の開閉状態を判断しても良い。
【００１２】
本発明の第１の実施態様では、前記情報処理装置は、複数種類の第１入力操作の各々に対応付けられた各種第２入力操作を記憶する入力操作関係記憶領域（例えばメモリ上の記憶領域）を更に備える。この場合、前記制御部は、前記第１入力操作に応答した処理を実行した後に、前記開閉部が開いたことが検出されたならば、前記第１入力操作の種類に対応した種類の第２入力操作を前記記憶資源から識別し、前記識別された種類の第２入力操作に応答した処理を実行する。
【００１３】
本発明の第２の実施態様では、前記情報処理装置は、１又は複数の電話番号を記憶する電話番号記憶領域を更に備える。前記制御部は、前記第１入力操作に応答して、前記１又は複数の電話番号の中から１つの電話番号を選択した後に、前記開閉部が開いた状態になったことが検出されたならば、前記選択された電話番号を用いて呼びを発する。
【００１４】
本発明の第３の実施態様では、前記制御部は、前記第１入力操作に応答して、１又は複数の受信メールの中から１つの受信メールを選択した後、或いは、或いは、複数の電子メール関連メニューの中からメール作成を選択した後、前記開閉部が開いた状態になったことが検出されたならば、情報入力待受け状態（例えば電子メール本文の入力を受け付ける状態）のメール作成画面を表示する。
【００１５】
前記第３の実施態様では、例えば、１又は複数の受信メールを記憶したメール記憶領域が更に備えられる。この場合、前記制御部は、前記開閉部が閉じた状態において行われた操作に応答して、まず、前記メール記憶領域に記憶されている１又は複数の受信メールの一覧を第１ディスプレイ画面（前記閉じた状態において外部に表れている画面）に表示する。その後、前記制御部は、ユーザによるカーソル操作に応答して、カーソルを或る受信メールに合わせる。その後、前記制御部は、第１ユーザ入力操作として、カーソルが合わされた受信メールの確定操作を受けた場合、前記確定操作対象の受信メールを選択し、選択した受信メールに対する返信メールの本文を入力するためのメール作成画面を表示する。
【発明の効果】
【００１６】
本発明によれば、開閉部が閉じた状態で第１入力操作を行って開閉部を開けば、わざわざ第２入力操作を行わなくても、第２入力操作に応答した処理が行われるので、ユーザの入力負担が減る。
【発明を実施するための最良の形態】
【００１７】
本発明に従う情報処理装置は、携帯電話機、ＰＨＳ（Personal Handy
phone System）、ＰＤＡ（Personal Digital Assistants）、ノート型のパーソナルコンピュータ等、開閉部を有する種々の情報処理装置に適用することができる。以下、開閉部を有する情報処理装置として、スライド式で開閉される携帯電話機（以下、「スライド式携帯電話機」と言う）を例に採り、本発明の一実施形態について説明する。
【００１８】
図１は、本発明の一実施形態に係る情報処理装置が適用されたスライド式携帯電話機の正面図であって、そのスライド式携帯電話機が開いた状態を示す。図２は、そのスライド式携帯電話機が閉じた状態を示す。なお、以下の説明では、スライド式携帯電話が開くことを「伸張」と呼び、閉じることを「収縮」と呼ぶ場合がある。
【００１９】
スライド式携帯電話機（以下、単に「携帯電話機」と言う）１０１は、上側筐体１０２と、下側筐体１とを備える。上側筐体１０２と下側筐体１とが相対的にスライド可能（換言すれば伸縮可能）に取り付けられている。例えば、図１に示すように、携帯電話機１が伸張状態の場合に、下側筐体１をそれの基端方向にスライドし終えると、図２に示すように、携帯電話機１が収縮状態になる。そして、その収縮状態の場合に、下側筐体１をそれの先端方向にスライドし終えると、図１に示すように、携帯電話機１が伸張状態になる。すなわち、この実施形態において、「収縮状態」とは、完全に縮んでいて、伸張動作のスタートの状態であることを意味し、「伸張状態」とは、完全に伸びて伸張動作が終了し、収縮動作のスタートの状態であることを意味する。
【００２０】
上側筐体１０２には、情報表示部（例えば液晶画面）４と、音声出力部（例えばスピーカ）６と、カーソル等を上下左右にコントロールしたり入力を確定したりする等のために操作に使用される方向／確定キー５と、後述のアドレス帳を呼び出すためのアドレスキー１０と、複数のメール関連メニューを呼び出すためのメールキー１２とが備えられる。
【００２１】
下側筐体１には、スライド式携帯電話機１０１の伸縮状態を検出する伸縮センサ２と、複数の入力キー３と、音声出力部（例えばマイク）７とが備えられる。複数の入力キー３には、例えば、呼びを発する場合に操作される発信キー１１と、通話を終了する場合に操作される終話キー８と、文字入力等の場合に使用される２以上の文字入力キー１０３とが含まれている。
【００２２】
図３は、携帯電話機１０１の構成を示すブロック図である。
【００２３】
携帯電話機１０１は、前述した構成要素の他に、電波を受信したり信号を発信したりするための無線アンテナ１６０と、無線アンテナ１６０を介して通信を行うための通信部１５０と、第１操作部１１０と、第２操作部１２０と、記憶部１３０と、制御部１４０とを備える。
【００２４】
第１操作部１１０は、携帯電話機１０１が収縮状態の場合にユーザに操作される。第１操作部１１０は、例えば、上側筐体１０２の上面に備えられるものであって、具体的には、図１及び図２に示した方向／確定キー５、アドレスキー１０及びメールキー１２を含んだものである。図２を参照すれば分かる通り、携帯電話機１０１が収縮状態の場合には、下側筐体１に備えられた第２操作部１２０は上側筐体１０２の背面に隠れて、第１操作部１１０のみ操作することができるようになる。
【００２５】
第２操作部１２０は、携帯電話機１０１が伸張状態の場合にユーザに操作される。第２操作部１２０は、例えば、下側筐体１の上面に備えられるものであって、具体的には、図１及び図２に示した複数の入力キー３を含んだものである。図１及び図２を参照すれば分かる通り、携帯電話機１０１が収縮状態から伸張状態になった場合には、上側筐体１０２の背面に隠れていた第２操作部１２０が表れて、第１操作部１１０に加えて第２操作部１２０も操作することができるようになる。
【００２６】
記憶部１３０は、データを記憶することができる装置であって、例えば、メモリ或いはハードディスクである。記憶部１３０には、例えば、１以上の相手先の各々についての相手先情報（例えば、氏名、電話番号及び電子メールアドレス）が記録されたアドレス帳データ（以下、単に「アドレス帳」と言う）や、受信した電子メールである１以上の受信メールや、送信予定の電子メールである１以上の送信メール等が保存される。また、記憶部１３０には、例えば、発信した相手先の電話番号の履歴である発信履歴や、着信した相手先の履歴である着信履歴も保存される。また、記憶部１３０には、図４に示すような、入力操作予測テーブル１６０も保存される。
【００２７】
入力操作予測テーブル１６０には、収縮状態の場合に行なわれ得る複数種類の第１入力操作内容と、伸張状態の場合に行なわれ得る複数種類の第２入力操作内容とが登録されている。この入力操作予測テーブル１６０では、各種第１入力操作内容に、複数種類の第２入力操作内容の中から選択された種類の第２入力操作内容が対応付けられている。別の言い方をすれば、各種第１入力操作毎に、その第１入力操作の次に行うことが可能な複数の入力操作の中から選択された入力操作が、入力操作予測テーブル１６０上で、携帯電話機１０１の伸張動作に対して割当てられている。また別の言い方をすれば、各種第１入力操作内容に対応付けられる第２入力操作内容は、その第１入力操作内容の次に行われる入力操作であると予測される操作内容となっている。後述する制御部１４０は、この入力操作予測テーブル１６０に記録されている対応付けに従って、処理を実行する。これについての詳細は後述する。
【００２８】
制御部１４０は、第１操作部１１０或いは第２操作部１２０での操作内容、伸縮センサ２からの検出信号、及び、音声入力部７からの音声入力のうちの少なくとも１つに基づいて、通信部１５０の動作、情報表示部４への出力、記憶部１３０へのアクセス、及び、音声出力部６への出力のうちの少なくとも１つを制御する。具体的には、例えば、制御部１４０は、収縮状態の際に第１操作部１１０で第１入力操作が行われた直後に、伸張状態になったことが伸縮センサ２からの検出信号から判別された場合には、図４に示した入力操作予測テーブル１６０の内容に基づいて、ユーザから第２操作部１２０を使用して第２入力操作を行われる前に、その第１入力操作に適した第２入力操作に応答した処理を実行する。図４を参照してより具体的に説明すると、制御部１４０は、アドレス帳から通話したい相手先選択、発信履歴から通話したい相手先選択、又は着信履歴から通話したい相手先選択という第１入力操作が行われて、収縮状態から伸張状態になったことが検出された場合、その第１入力操作の次の第２入力操作に応答した処理として、選択された相手先の電話番号に発信するための操作（例えば発信キー１１が押されること）に応答した処理を実行する。また、例えば、制御部１４０は、複数のメール関連メニューの中から新規作成を意味するメニューの選択という第１入力操作が行われて、収縮状態から伸張状態になったことが検出された場合、その第１入力操作の次の第２入力操作に応答した処理として、新規メールに情報入力することを可能にするための操作（例えば方向／確定キー５を用いた確定操作）に応答した処理を実行する。また、例えば、制御部１４０は、送信メールリスト（１以上の送信メール）の中から送信したいメール（送信済み又は送信予定メール）の選択、或いは、そのメールの詳細情報表示選択という第１入力操作が行われて、収縮状態から伸張状態になったことが検出された場合、その第１入力操作の次の第２入力操作に応答した処理として、送信メールに情報入力することを可能にするための操作（例えば方向／確定キー５を用いた確定操作）に応答した処理を実行する。また、例えば、制御部１４０は、受信メールリスト（１以上の受信メール）の中から返信したいメールの選択、或いは、そのメールの詳細情報表示選択という第１入力操作が行われて、収縮状態から伸張状態になったことが検出された場合、その第１入力操作の次の第２入力操作に応答した処理として、返信メールに情報入力することを可能にするための操作（例えば方向／確定キー５を用いた確定操作）に応答した処理を実行する。
【００２９】
以下、本実施形態で行われる幾つかの処理流れについて説明する。
【００３０】
図５は、収縮状態時にアドレス帳から相手先が選択された後に伸張状態になった場合に行なわれる処理流れを示す。なお、以下の説明では、適宜に図６及び図７を用いる。
【００３１】
制御部１４０は、収縮状態である場合に、第１操作部１１０を用いて行われた第１入力操作内容が、アドレスキー１０の押下の場合（ステップＳ１）、図６に例示するように、記憶部１３０からアドレス帳を読み出して情報表示部４に表示する（Ｓ２）。
【００３２】
その後、方向／確定キー５が操作されて、アドレス帳からユーザ任意の通話相手が選択され確定された後（Ｓ３）、他の入力操作が行われることなく、伸張状態になったこと（或いは伸張が開始されて収縮状態が解除されたこと）が検出されたならば（Ｓ４）、制御部１４０は、その検出の直前の入力操作（つまりＳ３で受けた入力操作）を第１入力操作として認識する。そして、制御部１４０は、その第１入力操作内容に対応した第２入力操作内容を入力操作予測テーブル１６０から検索し、検索された第２入力操作に応答した処理、すなわち、図７に例示するように、Ｓ３で確定された相手先の電話番号を用いた発信を行う（Ｓ５）。
【００３３】
図８は、収縮状態時に発信履歴或いは着信履歴から相手先が選択された後に伸張状態になった場合に行なわれる処理流れを示す。
【００３４】
制御部１４０は、収縮状態である場合に、第１操作部１１０を用いて行われた第１入力操作内容が、方向／確定キー５上の右側又は左側の押下の場合（Ｓ１１）、記憶部１３０から発信履歴又は着信履歴を読み出して情報表示部４に表示する（Ｓ１２）。
【００３５】
その後、方向／確定キー５が操作されて、発信履歴又は着信履歴からユーザ任意の通話相手が選択され確定された後（Ｓ１３）、他の入力操作が行われることなく、伸張状態になったことが検出されたならば（Ｓ１４）、制御部１４０は、その検出の直前の入力操作（つまりＳ１３で受けた入力操作）を第１入力操作として認識する。そして、制御部１４０は、その第１入力操作内容に対応した第２入力操作内容を入力操作予測テーブル１６０から検索し、検索された第２入力操作に応答した処理、すなわち、Ｓ１３で確定された相手先の電話番号を用いた発信を行う（Ｓ１５）。
【００３６】
図９は、電子メールの新規作成が選択された後に伸張状態になった場合に行なわれる処理流れを示す。
【００３７】
制御部１４０は、収縮状態である場合に、第１操作部１１０を用いて行われた第１入力操作内容が、メールキー１２の押下の場合（Ｓ２１）、複数の電子メールメニューの一覧を表示する（Ｓ２２）。
【００３８】
その後、方向／確定キー５が操作されて、複数の電子メールメニューの中から新規作成が選択された後（Ｓ２３）、他の入力操作が行われることなく、伸張状態になったことが検出されたならば（Ｓ２４）、制御部１４０は、その検出の直前の入力操作（つまりＳ２３で受けた入力操作）を第１入力操作として認識する。そして、制御部１４０は、その第１入力操作内容に対応した第２入力操作内容を入力操作予測テーブル１６０から検索し、検索された第２入力操作に応答した処理、すなわち、新規メール作成画面へ移行し情報入力待ちとなる（換言すれば、情報受付状態の新規メール作成画面を表示する）（Ｓ２５）。
【００３９】
図１０は、受信ボックスが選択された後、或いはその後にユーザ所望の受信メールの詳細情報表示が選択された後に伸張状態になった場合に行なわれる処理流れを示す。
【００４０】
制御部１４０は、収縮状態である場合に、第１操作部１１０を用いて行われた第１入力操作内容が、メールキー１２の押下の場合（Ｓ３１）、複数の電子メールメニューの一覧を表示する（Ｓ３２）。
【００４１】
その後、方向／確定キー５が操作されて、複数の電子メールメニューの中から受信ボックス（受信メールの一覧リスト）の表示が選択された後（Ｓ３３）、或いは、次に受信ボックスの中からユーザ所望の受信メールの詳細情報表示が選択された後（Ｓ３４）、他の入力操作が行われることなく、伸張状態になったことが検出されたならば（Ｓ３５）、制御部１４０は、その検出の直前の入力操作（つまりＳ３３又はＳ３４で受けた入力操作）を第１入力操作として認識する。そして、制御部１４０は、その第１入力操作内容に対応した第２入力操作内容を入力操作予測テーブル１６０から検索し、検索された第２入力操作に応答した処理、すなわち、メール返信画面へ移行し情報入力待ちとなる（換言すれば、情報受付状態のメール返信画面を表示する）（Ｓ３６）。
【００４２】
図１１は、送信ボックスが選択された後、或いはその後にユーザ所望の送信メールの詳細情報表示が選択された後に伸張状態になった場合に行なわれる処理流れを示す。
【００４３】
制御部１４０は、収縮状態である場合に、第１操作部１１０を用いて行われた第１入力操作内容が、メールキー１２の押下の場合（Ｓ４１）、複数の電子メールメニューの一覧を表示する（Ｓ４２）。
【００４４】
その後、方向／確定キー５が操作されて、複数の電子メールメニューの中から送信ボックス（送信メールの一覧リスト）の表示が選択された後（Ｓ４３）、或いは、次に送信ボックスの中からユーザ所望の送信メールの詳細情報表示が選択された後（Ｓ４４）、他の入力操作が行われることなく、伸張状態になったことが検出されたならば（Ｓ４５）、制御部１４０は、その検出の直前の入力操作（つまりＳ４３又はＳ４４で受けた入力操作）を第１入力操作として認識する。そして、制御部１４０は、その第１入力操作内容に対応した第２入力操作内容を入力操作予測テーブル１６０から検索し、検索された第２入力操作に応答した処理、すなわち、メール編集画面へ移行し情報入力待ちとなる（換言すれば、情報受付状態のメール編集画面を表示する）（Ｓ４６）。
【００４５】
以上、上述した実施形態によれば、携帯電話機１０１が収縮状態の場合に第１入力操作を行って伸張すれば、わざわざ第２入力操作を行わなくても、第２入力操作に応答した処理が行われる。これにより、ユーザの入力負担が減り、操作性が向上する。
【００４６】
以上、本発明の実施形態を説明したが、これは本発明の説明のための例示であって、本発明の範囲をこの実施形態にのみ限定する趣旨ではない。本発明は、他の種々の形態でも実施することが可能である。
【図面の簡単な説明】
【００４７】
【図１】本発明の一実施形態に係る情報処理装置が適用されたスライド式携帯電話機の正面図であって、そのスライド式携帯電話機が開いた状態を示す。
【図２】図１のスライド式携帯電話機が閉じた状態を示す。
【図３】携帯電話機１０１の構成を示すブロック図である。
【図４】入力操作予測テーブル１６０の構成例を示す。
【図５】収縮状態時にアドレス帳から相手先が選択された後に伸張状態になった場合に行なわれる処理流れを示す。
【図６】図５のＳ２における表示画面例を示す。
【図７】図５のＳ５における表示画面例を示す。
【図８】収縮状態時に発信履歴或いは着信履歴から相手先が選択された後に伸張状態になった場合に行なわれる処理流れを示す。
【図９】電子メールの新規作成が選択された後に伸張状態になった場合に行なわれる処理流れを示す。
【図１０】受信ボックスが選択された後、或いはその後にユーザ所望の受信メールの詳細情報表示が選択された後に伸張状態になった場合に行なわれる処理流れを示す。
【図１１】送信ボックスが選択された後、或いはその後にユーザ所望の送信メールの詳細情報表示が選択された後に伸張状態になった場合に行なわれる処理流れを示す。
【符号の説明】
【００４８】
１…下側筐体  ２…伸縮センサ  ３…複数の入力キー  ４…情報表示部  ５…方向／確定キー  ６…音声出力部  ７…音声入力部  ８…終話キー  １０…アドレスキー  １１…発信キー  １２…メールキー  １０１…携帯電話機
【図１】
2005311668.tif 000003
【図２】
2005311668.tif 000004
【図３】
2005311668.tif 000005
【図４】
2005311668.tif 000006
【図５】
2005311668.tif 000007
【図６】
2005311668.tif 000008
【図７】
2005311668.tif 000009
【図８】
2005311668.tif 000010
【図９】
2005311668.tif 000011
【図１０】
2005311668.tif 000012
【図１１】
2005311668.tif 000013